(57)【要約】【課題】  外側タンクと内側タンクとの寸法のバラツキに影響を受けず、洗浄水タンク内に配設された排水弁の開弁動作が安定する便器用洗浄水タンクの操作装置を提供する。【解決手段】  外側タンクと内側タンクとを有する便器用洗浄水タンクの内側タンク内に配設された排水弁を開弁操作する便器用洗浄水タンクの操作装置であって、前記外側タンクの壁面に回動自在に取り付けられる操作レバーと、この操作レバーと連結して操作レバーの回動動作と連動して回動する第１操作スピンドルと、第１操作スピンドルと平行に配設した第２操作スピンドルと、第１操作スピンドル及び第２操作スピンドルを回動自在に支持する操作スピンドル支持部材と、第２操作スピンドルに設けられた排水弁を引き上げるための第１引上げ部材を係止する係止部材と、第１操作スピンドルの回動力を第２操作スピンドルに伝達するための回動力伝達手段とを備えた。【選択図】  図２
2006132122.tif 000002
【特許請求の範囲】
【請求項１】
外側タンクと内側タンクとを有する洗浄水タンクの内側タンク内に配設された第１排水弁を開弁操作する便器用洗浄水タンクの操作装置であって、
前記外側タンクの壁面に回動自在に取り付けられる操作レバーと、
この操作レバーと連結して操作レバーの回動動作と連動して回動する第１操作スピンドルと、
前記第１操作スピンドルと平行に配設した第２操作スピンドルと、
前記第１操作スピンドル及び第２操作スピンドルを回動自在に支持する操作スピンドル支持部材と、
前記第２操作スピンドルに設けられた第１排水弁を引き上げるための第１引上げ部材を係止する係止部材と、
前記第１操作スピンドルの回動力を前記第２操作スピンドルに伝達するための回動力伝達手段と、を備えたことを特徴とする便器用洗浄水タンクの操作装置。
【請求項２】
前記回動力伝達手段を、前記第１操作スピンドルに配設した第１伝達部材と、前記第２操作スピンドルに配設した第２伝達部材とで構成し、前記第１操作スピンドルの回動によって第１伝達部材が第２伝達部材に当接して前記第２操作スピンドルが回動することを特徴とする請求項１記載の便器用洗浄水タンクの操作装置。
【請求項３】
前記外側タンク内に第２排水弁を配設し、この第２排水弁を引き上げるための引き上げ部材を前記第１伝達部材に係止することを特徴とする請求項２記載の便器用洗浄水タンクの操作装置。
【請求項４】
前記開弁操作の初期位置で前記第１伝達部材と前記第２伝達部材との間に所定の隙間を形成していることを特徴とする請求項３記載の便器用洗浄水タンクの操作装置。
【発明の詳細な説明】
【技術分野】
【０００１】
本発明は、水洗便器に洗浄水を供給する外側タンクと内側タンクとを有する洗浄水タンク内に配設された排水弁の開弁操作する便器用洗浄水タンクの操作装置に関する。
【背景技術】
【０００２】
従来、外側タンクと内側タンクとを有する便器用の洗浄水タンク内に配設された排水弁の操作機構を備えた便器洗浄タンク装置として特許文献１に示すものがあり、図６（特許文献１の図１に相当する）に基づいて操作機構を説明する。洗浄水タンク５０は、陶器製の外側の化粧タンク５１と化粧タンク５１の内側に洗浄水を貯水する樹脂製の内部タンク５２とから構成し、内部タンク５２の底面中央部には排水口５３が開設され、この排水口５３の直上に排水弁５４を配設している。排水弁５４を引き上げて開弁するための操作ロッド５５が内部タンク５２の両側壁間に水平に架設した状態で回動可能に支持され、その中央部をくの字に屈曲して屈曲部５６を突出形成してある。操作ロッド５５は一端部を直角に屈曲して、化粧タンク５１の側面に取付けた操作レバー５７に接続してあり、操作レバー５７を回動させることにより、操作ロッド５５を蹴り上げることによって、中央に屈曲する屈曲部５６が上下方向に回動し、この回動により屈曲部５６と連携した排水弁５４が引き上げられて開弁するように構成してある。
【０００３】
しかしながら、特許文献１に記載されている操作機構では、操作ロッド５５が内部タンク５２の両側壁間に架設した状態で支持されて回動するため、化粧タンク５１及び内部タンク５２の寸法バラツキによっては芯ズレが生じ、操作レバー５７の回動力が操作ロッド５５に十分に伝達せず開弁動作不良及び取付け不良が発生する恐れがある。また、操作ロッド５５の全長が長くなり排水弁５４の引き上げ時に操作ロッド５５がたわみ、開弁動作不良の問題がある。
【０００４】
【特許文献１】特開平８―３１１９５４号公報（図１参照）
【発明の開示】
【発明が解決しようとする課題】
【０００５】
そこで、本発明は外側タンクと内側タンクとの寸法のバラツキに影響を受けず、洗浄水タンク内に配設された排水弁の開弁動作が安定する便器用洗浄水タンクの操作装置を提供することを目的とする。
【課題を解決するための手段】
【０００６】
上記課題を解決するために、請求項１に記載の本発明は、外側タンクと内側タンクとを有する便器用洗浄水タンクの内側タンク内に配設された第１排水弁を開弁操作する便器用洗浄水タンクの操作装置であって、前記外側タンクの壁面に回動自在に取り付けられる操作レバーと、この操作レバーと連結して操作レバーの回動動作と連動して回動する第１操作スピンドルと、前記第１操作スピンドルと平行に配設した第２操作スピンドルと、前記第１操作スピンドル及び第２操作スピンドルを回動自在に支持する操作スピンドル支持部材と、前記第２操作スピンドルに設けられた第１排水弁を引き上げるための第１引上げ部材を係止する係止部材と、前記第１操作スピンドルの回動力を前記第２操作スピンドルに伝達するための回動力伝達手段と、を備えたことを特徴とする。
上記のように構成された本発明においては、操作装置の全体が外側タンクに取り付け支持されるので、第１排水弁を操作する第１操作スピンドルが内側タンクとは離隔した状態で配設される。そのため内側タンクの寸法精度が多少ばらついても内側タンク内に配設された第１排水弁の開弁操作が確実に行うことができる。
【０００７】
本発明において好ましくは、前記回動力伝達手段を、前記第１操作スピンドルに配設した第１伝達部材と、前記第２操作スピンドルに配設した第２伝達部材とで構成し、前記第１操作スピンドルの回動によって第１伝達部材が第２伝達部材に当接する構成とする。
上記のように構成された本発明においては、第１操作スピンドルの回動力を第２操作スピンドルに伝達する機構を簡単に構成することができる。
【０００８】
また、本発明において好ましくは、前記外側タンク内に第２排水弁を配設し、この第２排水弁を引き上げるための引き上げ部材を前記第１伝達部材に係止する構成とする。
上記のように構成された本発明においては、リム吐水口へのリム導水路とジェット吐水口へのジェット導水路とそれぞれに独立した導水路を備えたサイホンジェット式の水洗便器に洗浄水タンクから給水する場合、容易に対応することができる。
【０００９】
また、本発明において好ましくは、前記開弁操作の初期位置で前記第１伝達部材と前記第２伝達部材との間に所定の隙間を形成する構成とする。
上記のように構成された本発明においては、第２排水弁の開弁後遅れて第１排水弁が開弁する。上記サイホンジェット式の水洗便器において、便器の洗浄機能に応じてリム吐水またはジェット吐水の吐水開始のタイミングを遅らせる洗浄機能を容易に実現できる。
【発明の効果】
【００１０】
本発明によれば、外側タンクと内側タンクとからなる２重構造の便器用洗浄水タンク内に配設された排水弁の開弁操作を安定して行うことができる。
また、外側タンク内に第１排水弁及び第２排水弁を配設し、この２つの排水弁の引き上げを容易に行うことができる。
【発明を実施するための最良の形態】
【００１１】
以下、図面に基づいて本発明に係る便器用洗浄水タンクの操作装置の実施形態を説明する。
（第１の実施形態）
図２は第１の実施形態の便器用洗浄水タンクの操作装置Ｘの組み立て斜視図、図３は便器用洗浄水タンクの操作装置Ｘの分解斜視図、図１は便器用洗浄水タンクの操作装置Ｘを外側タンク２と内側タンク３とから構成した洗浄水タンク１に取り付けた状態を示す模式図である。洗浄水タンク１は洗浄水を貯留する内側タンク３の底部の排水口３ａを開閉する排水弁５を配設している。外側タンク２はタンクの外観デザインを形成するための部材である。
【００１２】
便器用洗浄水タンクの操作装置Ｘは、外側タンク２の壁面に回動自在に取り付けられる操作レバー４と、この操作レバー４と連結して操作レバー４の回動動作と連動する第１操作スピンドル７と、第１操作スピンドル７と平行に配設した第２操作スピンドル８と、第１操作スピンドル７及び第２操作スピンドル８が自在に回動するように支持する操作スピンドル支持部材６と、第１操作スピンドル７の先端部に取り付けられた第１操作スピンドル７の回動力を第２操作スピンドル８に伝達するための板状の第１伝達部材９と、第２操作スピンドル８に一体に取り付けられた第１伝達部材９が当接して第１操作スピンドル７の回動力を受ける第２伝達部材１０とから構成している。
第１伝達部材９は第２伝達部材１０の先端部１０ａが当接する面が傾斜した傾斜面９ｂを設けている。
第２スピンドル８の先端部には後述する玉鎖１１を係止するための板状の接続部材８ａが第２スピンドル８の回動軸８ｂと直角方向にＬ状に交差するように取り付けられている。接続部材８ａの回動軸８ｂと偏芯した位置には玉鎖１１の一方端を係止するための貫通孔８ｃを開口している。
図２に示すように、この実施形態では洗浄操作前の初期状態で第１伝達部材９の傾斜面９ｂに第２伝達部材１０の先端部１０ａが当接している。
【００１３】
次に、便器用洗浄水タンクの操作装置Ｘを洗浄水タンク１に取り付けた状態を説明する。
外側タンク２の側壁部に貫通孔（図示しない）が設けられ、操作レバー４が外側タンク２の側壁部の外面に回動自在に取りつけている。支持部材６と、第１操作スピンドル７と、第１伝達部材９と、第２伝達部材１０とを外側タンク２と内側タンク３との間の空間部Ｙに配設している。そして、支持部材６を外側タンク２の側壁部の内面に取り付け固定している。また、第２操作スピンドル８を内側タンク３の上端部３ａより上方位置で内側タンク３の内部に延設している。玉鎖１１の一方端を第２操作スピンドル８の先端部の設けた接続部材８ａの貫通孔８ｃに係止し、他方端を排水弁５の上部に係止している。
【００１４】
次に、便器用洗浄水タンクの操作装置Ｘによる洗浄操作について説明する。
図２に示すように使用者が操作レバー４を第１伝達部材９側から見た状態で反時計方向（矢印Ａ方向）に回動すると、第１伝達部材９は操作レバー４の回動と同時に反時計方向（矢印Ｂ方向）に回動する。それに伴なって第２伝達部材１０の当接部１０ａが第１伝達部材９の傾斜面９ｂに当接した状態で第１伝達部材９の先端部に向かって移動し、第２伝達部材１０と一体的に構成した第２操作スピンドル８が反時計方向に回動する。第２操作スピンドル８の反時計方向の回動によって接続部材８ａも回動軸８ｂを中心に回動して玉鎖１１を上方に引き上げる。
玉鎖１１の引き上げによって、排水弁５が上方に移動して排水口３ａを開放して洗浄水を内側タンク３から排出する。
【００１５】
操作レバー４を約９０度回動した後、使用者が操作レバー４から手を離すと便器用洗浄水タンクの操作装置Ｘは、その自重によって図２に示す初期状態に戻る。また、排水弁５は開弁後、内側タンク３内の水位が下降して行って排水弁５自体の重量が浮子５ａによる浮力に勝った状態で閉弁する。
【００１６】
（第２の実施形態）
次に、便器用洗浄水タンクの操作装置Ｘを内側タンクと外側タンクの各々に独立した排水弁を備えた洗浄水タンクに適用した例を説明する。
図４は、リム吐水部へのリム導水路とジェット吐水部へのジェット導水路とが各々独立した導水路を備えたサイホンジェット式水洗便器に洗浄水を供給する洗浄水タンクの断面模式図である。洗浄水タンク２０は、ジェット吐水部に給水する外側タンク部２１と、外側タンク部２１の内部上方に配置したリム吐水部に給水する内側タンク２２とから構成し、外側タンク部２１の底部には第２排水弁２４を配設し、内側タンク部２２の底部には第１排水弁２３を配設している。また、外側タンク部２１、内側タンク２２は便器本体部２５と一体成形している。
【００１７】
便器用洗浄水タンクの操作装置Ｘの外側タンク部２１への取り付けは第１の実施形態と同様であるので説明を省略する。
この第２の実施形態においては、図２に示す第１伝達部材９の先端部に設けた貫通孔９ａに後述する第２排水弁２４を引き上げるための点線で示す玉鎖１２を係止している。そして、第２操作スピンドル８の先端部の設けた接続部材８ａの貫通孔８ｃに第１排水弁２３を引き上げるための玉鎖１１係止している。また、第２操作スピンドル８は内側タンク部２２上端に設けた切欠き部（図示しない）の介して内側タンク２２の内部に延設している。
【００１８】
次に、便器用洗浄水タンクの操作装置Ｘによるサイホンジェット式水洗便器のリム吐水部、ジェット吐水部への洗浄水供給操作を図２を用いて説明する。
使用者が操作レバー４を第１伝達部材９側から見た状態で反時計方向（矢印Ａ方向）に回動すると、第１伝達部材９が操作レバー４が回動と同時に反時計方向に回動して玉鎖１２を上方に引き上げる。それと同時に第１伝達部材９に当接した第２伝達部材１０が上方向（矢印Ｂ方向）に持ち上げられ第２操作スピンドル８が反時計方向に回動する。
第２操作スピンドル８の反時計方向の回動によって接続部材８ａも回動軸８ｂを中心に回動して玉鎖１１を上方に引き上げる。
玉鎖１２が引き上げられることにより第２排水弁２４が上方に移動して外側タンク部２１からジェット吐水部に洗浄水が供給される。一方、玉鎖１１の引き上げられることにより第１排水弁２３が上方に移動して内側タンク部２２からリム吐水部に洗浄水が供給される。
【００１９】
第２排水弁２３の開弁後は、内側タンク部２２内の水位が下降して第１排水弁２３第１排水弁２３の自重が作用する浮力に勝った時点で閉弁する。第１排水弁２４の開弁後は、外側タンク部２１内の水位が下降して行って排水弁２４自体の重量が浮子２４ａによる浮力に勝った状態で閉弁する。
【００２０】
上記第２の実施形態においては、サイホンジェット式水洗便器においてジェット吐水部からの吐水量、リム吐水部からの吐水量をそれぞれ単独に調整することができ、洗浄水の節水化等便器に最適な洗浄水の供給が可能となる。
【００２１】
（第３の実施形態）
次に、第２の実施形態において、第２排水弁２４の開弁から時間差をおいて第１排水弁２３を開弁する場合について説明する。
図５は、便器用洗浄水タンクの操作装置Ｘの初期状態において、第１伝達部材９の傾斜面９ｂと第２伝達部材１０の当接部１０ａとの間に所定の隙間Ｃを形成した構成としたものである。この構成の場合、第２排水弁２４が開弁してジェット吐水部への給水が開始された後、第１伝達部材９がその回動開始から第２伝達部材１０に当接するまでの時間だけ遅れて第１排水弁２３が開弁してリム吐水部への給水が開始される。
【００２２】
上記第３の実施形態においては、サイホンジェット式水洗便器のジェット吐水部から吐水した後遅延してリム吐水部から吐水するので、サイホン作用を早期に発生させて少ない洗浄水量で便器洗浄を実現することができる。
【図面の簡単な説明】
【００２３】
【図１】第１の実施形態の便器用洗浄水タンクの操作装置Ｘを便器用洗浄水タンクを外側タンクと内側タンクとから構成した洗浄水タンクに取り付けた状態を示す模式図。
【図２】第１の実施形態の便器用洗浄水タンクの操作装置Ｘの組み立て斜視図。
【図３】第１の実施形態の便器用洗浄水タンクの操作装置Ｘの分解斜視図。
【図４】第１の実施形態の便器用洗浄水タンクの操作装置Ｘを内側タンクと外側タンクの各々に独立した排水弁を備えた洗浄水タンクに取り付けた状態を示す模式図。
【図５】便器用洗浄水タンクの操作装置Ｘの初期状態において、第１伝達部材９の傾斜面９ｂと第２伝達部材１０の当接部１０ａとの間に隙間を形成した状態を示す図。
【図６】従来の便器洗浄タンク装置を示す縦断面図。
【符号の説明】
【００２４】
１、２０…洗浄水タンク
２…外側タンク
３…内側タンク
３ａ…排水口
４…操作レバー
５…排水弁
６…操作スピンドル支持部材
７…第１操作スピンドル
８…第２操作スピンドル
８ａ…接続部材
９…第１伝達部材
９ａ…傾斜面
１０…第２伝達部材
１１、１２…玉鎖
２１…外側タンク部
２２…内側タンク部
２３…第１排水弁
２４…第２排水弁
５０…洗浄水タンク
５１…化粧タンク
５２…内部タンク
５３…排水口
５４…排水弁
５５…操作ロッド
５６…屈曲部
５７…操作レバー
【図１】
2006132122.tif 000003
【図２】
2006132122.tif 000004
【図３】
2006132122.tif 000005
【図４】
2006132122.tif 000006
【図５】
2006132122.tif 000007
【図６】
2006132122.tif 000008